(57)【要約】【課題】差動信号の伝送において、差動モードの入力信号に対するコモンモードの出力量（Ｓｃｄ２１）を小さくできる二芯平行ケーブルを提供する。【解決手段】平行に並べられた一対の絶縁電線２と、一対の絶縁電線２の周囲に縦添えで巻き付けられたシールドテープ３と、シールドテープ３の内側に配置されたドレイン線４と、シールドテープ３の外側に巻かれた絶縁テープ５と、を備え、シールドテープ３は、内面側に金属層３ａが設けられており、ドレイン線４は、金属層３ａと電気的に接触するように設けられ、金属層３ａの表面には、接着剤３１ａが塗布された接着面が設けられており、接着面と一対の絶縁電線２とが接着され、接着面の面積は、金属層３ａの表面積の３０％以上７０％以下である。【選択図】図２
2018060685.tif 000002
【特許請求の範囲】
【請求項１】
平行に並べられた一対の絶縁電線と、
前記一対の絶縁電線の周囲に縦添えで巻き付けられたシールドテープと、
前記シールドテープの内側に配置されたドレイン線と、
前記シールドテープの外側に巻かれた絶縁テープと、
を備え、
前記シールドテープは、内面側に金属層が設けられており、
前記ドレイン線は、前記金属層と電気的に接触するように設けられ、
前記金属層の表面には、接着剤が塗布された接着面が設けられており、
前記接着面と前記一対の絶縁電線とが接着され、
前記接着面の面積は、前記金属層の表面積の３０％以上７０％以下である、
二芯平行ケーブル。
【請求項２】
前記金属層と前記ドレイン線とが導電性の接着剤で接着されている、
請求項１に記載の二芯平行ケーブル。
【請求項３】
平行に並べられた一対の絶縁電線と、
前記一対の絶縁電線の周囲に縦添えで巻き付けられたシールドテープと、
前記シールドテープの内側に配置されたドレイン線と、
前記シールドテープの外側に巻かれた絶縁テープと、
を備え、
前記シールドテープは、内面側に金属層が設けられており、
前記ドレイン線は、前記金属層と電気的に接触するように設けられ、
前記シールドテープは、内側の表面には接着剤が塗布されておらず、外側の表面には接着剤が塗布された接着面が設けられており、
前記接着面と前記絶縁テープとが接着され、
前記接着面の面積は、前記シールドテープの外側の表面積の３０％以上である、
二芯平行ケーブル。
【請求項４】
平行に並べられた一対の絶縁電線と、
前記一対の絶縁電線の周囲に縦添えで巻き付けられたシールドテープと、
前記シールドテープの外側に配置されたドレイン線と、
前記シールドテープの外側に巻かれた絶縁テープと、
を備え、
前記シールドテープは、外面側に金属層が設けられており、
前記ドレイン線は、前記金属層と電気的に接触するように設けられ、
前記シールドテープの内側の表面には、接着剤が塗布された接着面が設けられており、
前記接着面と前記一対の絶縁電線とが接着され、
前記接着面の面積は、前記シールドテープの内側の表面積の３０％以上である、
二芯平行ケーブル。
【請求項５】
平行に並べられた一対の絶縁電線と、
前記一対の絶縁電線の周囲に縦添えで巻き付けられたシールドテープと、
前記シールドテープの外側に配置されたドレイン線と、
前記シールドテープの外側に巻かれた絶縁テープと、
を備え、
前記シールドテープは、外面側に金属層が設けられており、
前記ドレイン線は、前記金属層と電気的に接触するように設けられ、
前記シールドテープの外側の表面には、接着剤が塗布された接着面が設けられており、
前記接着面と前記絶縁テープとが接着され、
前記接着面の面積は、前記シールドテープの外側の表面積の３０％以上７０％以下である、
二芯平行ケーブル。
【発明の詳細な説明】
【技術分野】
【０００１】
本発明は、二芯平行ケーブルに関する。
【背景技術】
【０００２】
平行に並べられた一対の絶縁電線の周囲に巻き付けられた導電性のシールドテープと、シールドテープの外側に巻かれた絶縁テープと、を備えた二芯平行ケーブルが知られている（例えば、特許文献１、２参照）。
【先行技術文献】
【特許文献】
【０００３】
【特許文献１】特開２００２−３１９３１９号公報
【特許文献２】米国特許第７７９０９８１号明細書
【発明の概要】
【発明が解決しようとする課題】
【０００４】
二芯平行ケーブルにおける差動信号の伝送において、信号線（絶縁電線など）が導電性のシールドテープに対して動くと信号線に対するシールド効果が不安定になり、差動モードの入力信号に対するコモンモードの出力量（Ｓｃｄ２１）が大きくなることがある。
【０００５】
本発明は、差動信号の伝送において、差動モードの入力信号に対するコモンモードの出力量（Ｓｃｄ２１）を小さくできる二芯平行ケーブルを提供することを目的とする。
【課題を解決するための手段】
【０００６】
本発明の一態様に係る二芯平行ケーブルは、平行に並べられた一対の絶縁電線と、
前記一対の絶縁電線の周囲に縦添えで巻き付けられたシールドテープと、
前記シールドテープの内側に配置されたドレイン線と、
前記シールドテープの外側に巻かれた絶縁テープと、
を備え、
前記シールドテープは、内面側に金属層が設けられており、
前記ドレイン線は、前記金属層と電気的に接触するように設けられ、
前記金属層の表面には、接着剤が塗布された接着面が設けられており、
前記接着面と前記一対の絶縁電線とが接着され、
前記接着面の面積は、前記金属層の表面積の３０％以上７０％以下である。
【０００７】
本発明の他の一態様に係る二芯平行ケーブルは、平行に並べられた一対の絶縁電線と、
前記一対の絶縁電線の周囲に縦添えで巻き付けられたシールドテープと、
前記シールドテープの内側に配置されたドレイン線と、
前記シールドテープの外側に巻かれた絶縁テープと、
を備え、
前記シールドテープは、内面側に金属層が設けられており、
前記ドレイン線は、前記金属層と電気的に接触するように設けられ、
前記シールドテープは、内側の表面には接着剤が塗布されておらず、外側の表面には接着剤が塗布された接着面が設けられており、
前記接着面と前記絶縁テープとが接着され、
前記接着面の面積は、前記シールドテープの外側の表面積の３０％以上である。
【０００８】
本発明のさらに他の一態様に係る二芯平行ケーブルは、平行に並べられた一対の絶縁電線と、
前記一対の絶縁電線の周囲に縦添えで巻き付けられたシールドテープと、
前記シールドテープの外側に配置されたドレイン線と、
前記シールドテープの外側に巻かれた絶縁テープと、
を備え、
前記シールドテープは、外面側に金属層が設けられており、
前記ドレイン線は、前記金属層と電気的に接触するように設けられ、
前記シールドテープの内側の表面には、接着剤が塗布された接着面が設けられており、
前記接着面と前記一対の絶縁電線とが接着され、
前記接着面の面積は、前記シールドテープの内側の表面積の３０％以上である。
【０００９】
本発明のさらに他の一態様に係る二芯平行ケーブルは、平行に並べられた一対の絶縁電線と、
前記一対の絶縁電線の周囲に縦添えで巻き付けられたシールドテープと、
前記シールドテープの外側に配置されたドレイン線と、
前記シールドテープの外側に巻かれた絶縁テープと、
を備え、
前記シールドテープは、外面側に金属層が設けられており、
前記ドレイン線は、前記金属層と電気的に接触するように設けられ、
前記シールドテープの外側の表面には、接着剤が塗布された接着面が設けられており、
前記接着面と前記絶縁テープとが接着され、
前記接着面の面積は、前記シールドテープの外側の表面積の３０％以上７０％以下である。
【発明の効果】
【００１０】
上記発明によれば、差動信号の伝送において、差動モードの入力信号に対するコモンモードの出力量（Ｓｃｄ２１）を小さくすることができる。
【図面の簡単な説明】
【００１１】
【図１】本発明の第一実施形態に係る二芯平行ケーブルの構成を示す斜視図である。
【図２】図１の二芯平行ケーブルの長さ方向に直交する断面図である。
【図３】本発明の第二実施形態に係る二芯平行ケーブルの構成を示す斜視図である。
【図４】図３の二芯平行ケーブルの長さ方向に直交する断面図である。
【発明を実施するための形態】
【００１２】
（本発明の実施形態の説明）
最初に本発明の実施態様を列記して説明する。請求項に合わせる。
本発明の一態様に係る二芯平行ケーブルは、
（１）  平行に並べられた一対の絶縁電線と、
前記一対の絶縁電線の周囲に縦添えで巻き付けられたシールドテープと、
前記シールドテープの内側に配置されたドレイン線と、
前記シールドテープの外側に巻かれた絶縁テープと、
を備え、
前記シールドテープは、内面側に金属層が設けられており、
前記ドレイン線は、前記金属層と電気的に接触するように設けられ、
前記金属層の表面には、接着剤が塗布された接着面が設けられており、
前記接着面と前記一対の絶縁電線とが接着され、
前記接着面の面積は、前記金属層の表面積の３０％以上７０％以下である。
上記構成によれば、前記接着面の面積が７０％以下であるので、シールドテープの内側にあるドレイン線とシールドテープの金属層との電気的な導通を確保できる。また、前記接着面の面積が３０％以上であるので、絶縁電線とシールドテープとを確実に接着することができる。これにより、シールドテープが一対の絶縁電線に対して動かないように固定できるので、絶縁電線（信号線）に対するシールド効果が安定し、差動モードの入力信号に対するコモンモードの出力量（Ｓｃｄ２１）を小さくすることができる。
【００１３】
（２）  前記金属層と前記ドレイン線とが導電性の接着剤で接着されている。
上記構成によれば、ドレイン線とシールドテープの金属層との電気的な導通をより確実に確保できる。
【００１４】
また、本発明の一態様に係る二芯平行ケーブルは、
（３）  平行に並べられた一対の絶縁電線と、
前記一対の絶縁電線の周囲に縦添えで巻き付けられたシールドテープと、
前記シールドテープの内側に配置されたドレイン線と、
前記シールドテープの外側に巻かれた絶縁テープと、
を備え、
前記シールドテープは、内面側に金属層が設けられており、
前記ドレイン線は、前記金属層と電気的に接触するように設けられ、
前記シールドテープは、内側の表面には接着剤が塗布されておらず、外側の表面には接着剤が塗布された接着面が設けられており、
前記接着面と前記絶縁テープとが接着され、
前記接着面の面積は、前記シールドテープの外側の表面積の３０％以上である。
上記構成によれば、シールドテープの内側にあるドレイン線とシールドテープの金属層との電気的な導通を確実に確保できる。また、シールドテープは、その外側に巻かれる絶縁テープと接着されるので絶縁テープに固定される。絶縁テープがシールドテープを押え込む。これにより、シールドテープが一対の絶縁電線に対してずれることを抑えることができる。シールドテープが一対の絶縁電線に対して動きにくくなるので、絶縁電線（信号線）に対するシールド効果が安定し、差動モードの入力信号に対するコモンモードの出力量（Ｓｃｄ２１）を小さくすることができる。
【００１５】
また、本発明のさらに他の一態様に係る二芯平行ケーブルは、
（４）  平行に並べられた一対の絶縁電線と、
前記一対の絶縁電線の周囲に縦添えで巻き付けられたシールドテープと、
前記シールドテープの外側に配置されたドレイン線と、
前記シールドテープの外側に巻かれた絶縁テープと、
を備え、
前記シールドテープは、外面側に金属層が設けられており、
前記ドレイン線は、前記金属層と電気的に接触するように設けられ、
前記シールドテープの内側の表面には、接着剤が塗布された接着面が設けられており、
前記接着面と前記一対の絶縁電線とが接着され、
前記接着面の面積は、前記シールドテープの内側の表面積の３０％以上である。
上記構成によれば、ドレイン線とシールドテープの金属層との電気的な導通を確保できる。また、シールドテープの内側の表面に接着剤が塗布された接着面の面積が３０％以上であるので、絶縁電線とシールドテープとを確実に接着することができる。これにより、シールドテープが一対の絶縁電線に対して動かないように固定できるので、絶縁電線（信号線）に対するシールド効果が安定し、差動モードの入力信号に対するコモンモードの出力量（Ｓｃｄ２１）を小さくすることができる。
【００１６】
また、本発明のさらに他の一態様に係る二芯平行ケーブルは、
（５）  平行に並べられた一対の絶縁電線と、
前記一対の絶縁電線の周囲に縦添えで巻き付けられたシールドテープと、
前記シールドテープの外側に配置されたドレイン線と、
前記シールドテープの外側に巻かれた絶縁テープと、
を備え、
前記シールドテープは、外面側に金属層が設けられており、
前記ドレイン線は、前記金属層と電気的に接触するように設けられ、
前記シールドテープの外側の表面には、接着剤が塗布された接着面が設けられており、
前記接着面と前記絶縁テープとが接着され、
前記接着面の面積は、前記シールドテープの外側の表面積の３０％以上７０％以下である。
シールドテープの外側に接着剤が塗布された接着面の面積が７０％以下であるので、シールドテープの外側にあるドレイン線とシールドテープの金属層との電気的な導通を確保できる。また、前記接着面の面積が３０％以上あるので、シールドテープがシールドテープの外側に巻かれた絶縁テープと接着されて固定される。これにより、シールドテープが一対の絶縁電線に対して動きにくくなる。
【００１７】
（本発明の実施形態の詳細）
本発明の実施形態に係る二芯平行ケーブルの具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００１８】
（第一実施形態）
図１，図２に示すように、二芯平行ケーブル１Ａは、互いに接触して平行に並べられた一対の絶縁電線２と、一対の絶縁電線２の周囲に巻かれているシールドテープ３とを備えている。また、二芯平行ケーブル１Ａは、絶縁電線２に添えてシールドテープ３の内側に配置されているドレイン線４と、シールドテープ３の外側に巻かれている絶縁テープ５とを備えている。
【００１９】
絶縁電線２は、中央部に設けられている信号導体２１と、信号導体２１の周囲を被覆する絶縁体２２とで構成されている。信号導体２１は、例えば銅やアルミニウムなどの導体、錫や銀などでメッキされた導体等で形成された単線または撚り線である。信号導体２１に用いられる上記導体の寸法は、ＡＷＧ（Ａｍｅｒｉｃａｎ  Ｗｉｒｅ  Ｇａｕｇｅ）の規格において、例えばＡＷＧ３８〜ＡＷＧ２２である。絶縁体２２は、例えばポリエチレン（ＰＥ）、エチレン酢酸ビニル共重合体（ＥＶＡ）、フッ素樹脂等で形成されている。絶縁体は充実層とすることができる。または絶縁体は発泡層とすることもできる。絶縁体が発泡層の場合は、１ｋｇの荷重を３０分間かけたときの絶縁電線の潰れ残り率（絶縁体に外力を加えた場合における変形後の絶縁電線の潰れ方向の径を、変形前の絶縁電線の径で除して得られた値）が８０％以上９９％以下であることが好ましい。絶縁電線２の外径は、例えば０．３ｍｍ〜３．０ｍｍ程度であり、例えばＡＷＧ３０の信号導体２１を用いた場合は、０．９ｍｍ程度である。
なお、本例では絶縁電線２を二本平行に並べたものを使用しているが、例えば二本の信号導体２１をポリエチレン、ポリ塩化ビニル、フッ素樹脂等の熱可塑性樹脂で一括押出被覆し、眼鏡型や楕円等に形成したものを使用するようにしてもよい。
【００２０】
シールドテープ３は、例えば銅またはアルミニウムなどの金属層３ａをポリエチレンテレフタレート（ＰＥＴ）、ポリ塩化ビニル（ＰＶＣ）等の樹脂テープに接着または蒸着した金属層付樹脂テープで形成されている。シールドテープ３の厚さは、例えば１０μｍ〜５０μｍ程度であり、金属層３ａの厚さは、例えば０．１μｍ〜２０μｍ程度である。なお、シールドテープ３には、例えば両面が金属で構成される金属テープや樹脂テープの両面に金属テープが貼られた金属層付樹脂テープを用いるようにしてもよい。シールドテープ３は、絶縁電線２およびドレイン線４の周囲に縦添えで巻かれている。縦添え巻きされたシールドテープ３は、重なる部分に接着剤が付いていることが好ましい。重なり部分が接着剤で固着され、巻かれた形状が維持される。また、シールドテープ３は、金属層３ａが内側に配置されるように、すなわち、金属層３ａが絶縁電線２およびドレイン線４側を向くように巻かれている。
【００２１】
シールドテープ３の内側の面、すなわち、金属層３ａが設けられている面には、例えばエポキシ系やシリコーン系からなる絶縁性の接着剤３１ａが塗布されている。また、シールドテープ３の外側の面、すなわち、金属層３ａが設けられていない面には、接着剤がない。
【００２２】
シールドテープ３の内側の面に塗布される接着剤３１ａは、接着剤が塗布されている部分（以下、接着面と称す）の面積がシールドテープの片側面（金属層３ａ）の面積の３０％以上、７０％以下となるように金属層３ａの表面に塗布される。金属層３ａとドレイン線４とが接する箇所には、接着剤３１ａをできるだけ塗らないようにして、金属層３ａとドレイン線４とが電気的に接続されるようにする。例えば、接着剤３１ａは、例えばゼブラ状、グリッド状、点々状等に塗布される。或いは、金属層３ａとドレイン線４とが接する箇所には接着剤３１ａを塗らずに、金属層３ａとドレイン線４とが接しない箇所の金属層３ａの表面には接着剤３１ａが全面的に塗布されていてもよい。接着剤３１ａの厚さは、例えば２μｍ程度とされている。
なお、塗布される接着剤３１ａは、例えば導電性を有するものであってもよく、その場合には、シールドテープの片側面（金属層３ａ）の全表面に塗布されていてもよい。金属層がシールドテープの両面にある場合は、外側の金属層に塗布される接着剤３１ａは上述の通りである。
【００２３】
接着剤３１ｂが、シールドテープ３の外側の表面に塗布されていてもよい。例えば、接着剤３１ｂは、シールドテープ３の外側の全表面に塗布されていてもよい。接着剤３１ｂの厚さは、例えば０．１μｍ〜５μｍ程度とされている。
上記のように、シールドテープ３に接着剤３１ｂが塗布されると、シールドテープ３の重なり部分が接着される。シールドテープ３と絶縁テープ５とも接着される。
【００２４】
ドレイン線４は、銅やアルミニウムなどの導体線である。ドレイン線４は、平行に並べられた一対の絶縁電線２が接する中央部の凹みに両絶縁電線２と接触するように縦添えされている。縦添えされたドレイン線４は、シールドテープ３の内側に配置されている金属層３ａと電気的に接触するように設けられている。ドレイン線４の外径は、例えば０．０８ｍｍ〜０．８ｍｍ程度である。
なお、絶縁電線２を二本平行に並べたものではなく、二本の信号導体２１が熱可塑性樹脂で一括押出被覆されている構成の場合は、ドレイン線４は、上記二本の信号導体２１に対して対称性の良い位置に縦添えされることが好ましい。この場合もドレイン線４は、シールドテープ３の内側に配置されている金属層３ａと電気的に接触する。
【００２５】
絶縁テープ５は、ＰＥＴ、ＰＶＣ等の樹脂テープで形成されており、シールドテープ３の外側に例えば螺旋状（横巻き）に巻かれている。絶縁テープ５は、一層で形成されている（ただし、重なる部分は二層になる）。絶縁テープ５の厚さは、例えば１２μｍ以上、好ましくは１５μｍ以上、より好ましくは１８μｍ以上、さらに好ましくは２４μｍ以上とされている。なお、絶縁テープ５は、二層に巻き付けられていてもよい。絶縁テープ５の内側の面には接着剤が塗布されている。なお、絶縁テープ５には、金属層が接着または蒸着されていてもよい。
絶縁テープ５がシールドテープ３の周囲に設けられることにより、シールドテープ３の機械的強度を強くし、外部からの汚染を防ぐことができる。
【００２６】
上記のような構成の二芯平行ケーブル１Ａによれば、シールドテープ３の内側の面に設けられた金属層３ａに塗布される接着剤３１ａは、その接着面の面積が金属層３ａの表面積の３０％以上とされる。このため、一対の絶縁電線２にシールドテープ３を確実に接着させることができ、絶縁電線２に対してシールドテープ３をずれないように固定することができる。また、接着剤３１ａの接着面の面積は、金属層３ａの表面積の７０％以下とされるので、シールドテープ３の金属層３ａとドレイン線４との電気的な導通を十分に確保することができる。さらに、接着剤３１ａは、金属層３ａの表面に例えばゼブラ状等に塗布されるので、シールドテープ３の金属層３ａとドレイン線４とを確実に導通させることができる。
【００２７】
さらにシールドテープ３の外側の面に接着剤３１ｂが塗布された場合は、シールドテープ３がその外側に横巻で巻かれる絶縁テープ５に確実に接着されて固定される。絶縁テープ５は、横巻で巻かれてシールドテープを押え込む。これにより、シールドテープ３および一対の絶縁電線２が固定される。
【００２８】
シールドテープ３が一対の絶縁電線２の周囲に縦添えで巻かれているので、横巻きの場合に比べて電気的特性を高めることができる（高周波信号を伝送した場合に、特定の波長で信号の減衰量が急に大きくなることがない）。
シールドテープ３の外側に巻かれる絶縁テープ５の厚さを厚くするとよい（例えば１２μｍ以上にする）。シールドテープ３が絶縁電線２に対してもずれることをより抑えることができる。
【００２９】
また、絶縁テープ５が螺旋状に巻かれることで、シールドテープ３が外側から押圧されて、シールドテープ３の金属層３ａとドレイン線４とがより確実に電気的に接触される。
また、ドレイン線４が一対の絶縁電線２の中央部に両絶縁電線２と接触するように配置されていると、各絶縁電線２がドレイン線４からの押圧によって同じように潰れるので、各絶縁電線の誘電率の差が出にくい。差動信号を伝送したときに信号が劣化しにくい。
【００３０】
これらにより、シールドテープ３による絶縁電線（信号線）２に対するシールド効果が安定し、差動モードの入力信号に対するコモンモードの出力量（Ｓｃｄ２１）を小さくすることができる。
【００３１】
（第一実施形態の変形例）
第一実施形態の変形例は、上述の第一実施形態に対して、シールドテープ３の接着剤塗布の構成が異なる例である。なお、その他の構成は、第一実施形態と同じであり、繰り返しとなる説明は省略する。本変形例の概観は、図１、２で示した二芯平行ケーブル１Ａと同様である。
本変形例のシールドテープ３は、内側の表面には接着剤が塗布されていない。この点が、上述の第一実施形態と異なる。
シールドテープ３の外側の面には、接着面の面積が外側の面の全表面積の３０％以上となるように、接着剤３１ｂが塗布されている。例えば、接着剤３１ｂは、シールドテープ３の外側の全表面に塗布されていてもよい。接着剤３１ｂの厚さは、例えば２μｍ程度とされている。
本変形例の上記構成によれば、シールドテープ３は、内側の表面には接着剤が塗布されていないので、金属層３ａとドレイン線４とが直接接触し、ドレイン線４とシールドテープ３の金属層３ａとの電気的な導通を確実に確保できる。
そして、シールドテープ３は、その外側に巻かれる絶縁テープ５と接着されるので絶縁テープ５に固定される。絶縁テープ５は、横巻で巻かれてシールドテープ３を抑え込む。この状態でシールドテープと絶縁テープとが接着されて固定される。これにより、シールドテープ３が絶縁電線２に対してずれることを抑えることができる。
よって、シールドテープ３による絶縁電線（信号線）２に対するシールド効果が安定し、差動モードの入力信号に対するコモンモードの出力量（Ｓｃｄ２１）を小さくすることができる。
【００３２】
（第二実施形態）
図３，図４に示すように、二芯平行ケーブル１Ｂは、互いに接触して平行に並べられた一対の絶縁電線２と、一対の絶縁電線２の周囲に巻かれているシールドテープ３とを備えている。また、二芯平行ケーブル１Ｂは、絶縁電線２に添うようにシールドテープ３の外側に配置されているドレイン線４と、シールドテープ３およびドレイン線４の外側に巻かれている絶縁テープ５とを備えている。なお、上述した第一実施形態と同一番号を付した部分については、同じ機能であるため、繰り返しとなる説明は省略する。
【００３３】
シールドテープ３は、一対の絶縁電線２の周囲に縦添えで巻かれている。シールドテープ３は、金属層３ａが外側に配置されるように、すなわち、金属層３ａが絶縁電線２に接触しないような向きに巻かれている。
シールドテープ３の内側の面、すなわち、金属層３ａが設けられていない面には、絶縁性の接着剤３１ａが塗布されている。また、シールドテープ３の外側の面、すなわち、金属層３ａが設けられている面には、絶縁性の接着剤３１ｂが塗布されている。なお、金属層３ａが設けられている外側の面は、接着剤３１ｂを塗布しない構成としてもよい。
【００３４】
シールドテープ３の内側の面に塗布される接着剤３１ａは、接着面の面積が内側の面の全表面積の３０％以上となるように塗布される。例えば、接着剤３１ａは、シールドテープ３の内側の面に全面的に塗布されていてもよい。接着剤３１ａの厚さは、例えば０．１μｍ〜５μｍ程度とされている。シールドテープの両面に金属層がある場合は、内側の金属層に塗布される接着剤３１ａも上述の通りである。
【００３５】
金属層３ａが設けられている外側の面に接着剤３１ｂを塗布する構成の場合は以下のようにする。
シールドテープ３の外側の面に塗布される接着剤３１ｂは、接着面の面積が金属層３ａの全表面積の３０％以上、７０％以下となるように金属層３ａの表面に塗布される。接着剤３１ｂは、例えばゼブラ状、グリッド状、点々状等に塗布される。接着剤３１ｂの厚さは、例えば２μｍ程度とされている。なお、塗布される接着剤３１ｂは、例えば導電性を有するものであってもよく、その場合には、金属層３ａの表面に全面的に塗布されてもよい。また、接着剤３１ｂは、ドレイン線４に接触するシールドテープ３の金属層３ａ部分を除いた他の部分に全面的に塗布されてもよい。
【００３６】
ドレイン線４は、例えば、平行に並べられた一対の絶縁電線２の一方の絶縁電線２における横側に、シールドテープ３を間に挟んで、すなわち、絶縁電線２に直接接触しない状態で縦添えされている。縦添えされたドレイン線４は、シールドテープ３の外側に配置されている金属層３ａと電気的に接触するように設けられている。なお、ドレイン線４が縦添えされている位置は、上記のように横側でなくてもよく、例えば、一対の絶縁電線２が接する中央部の上側或いは下側などで、シールドテープ３の外側に配置されていてもよい。ドレイン線４が二つの信号導体２１に対して対称性の良い位置に配置されることが好ましい。
【００３７】
前述の第一実施形態の二芯平行ケーブル１Ａは、一対の絶縁電線２が接する中央部の凹みに両絶縁電線２と接触するように縦添えされているが、この凹みよりもドレイン線４の外径が大きい場合は、ドレイン線４の周辺部分で、シールドテープ３と絶縁電線２とが若干離される可能性がある。第二実施形態の二芯平行ケーブル１Ｂは、ドレイン線４がシールドテープ３の外側に配置されているので、シールドテープ３と絶縁電線２との間にドレイン線４が存在しない。このため、シールドテープ３と絶縁電線２とがドレイン線４によって若干離されることはなく、シールドテープ３と絶縁電線２との密着度がよい。
すなわち、上記のような構成の二芯平行ケーブル１Ｂによれば、シールドテープ３の内側の面の３０％以上に接着剤３１ａを塗布することにより、シールドテープ３をその内側の一対の絶縁電線２に確実に接着することができる。これにより、一対の絶縁電線２の相互位置がずれないようにシールドテープ３によって固定することができる。
【００３８】
また、金属層３ａが設けられている外側の面に塗布される接着剤３１ｂは、第一実施形態で説明したシールドテープの内側の金属層に塗布する接着剤３１ａと同様である。接着剤３１ｂの接着面の面積は、金属層３ａの表面積の３０％以上とされる。このため、シールドテープ３がシールドテープ３の外側に巻かれた絶縁テープ５と接着されて固定される。これにより、シールドテープが一対の絶縁電線に対してもより確実に動きにくくなる。
また、接着剤３１ｂの接着面の面積は、金属層３ａの表面積の７０％以下とされるので、シールドテープ３の金属層３ａとドレイン線４との電気的な導通を十分に確保することができる。
【００３９】
また、シールドテープ３が縦添えで巻かれていること、絶縁テープ５の厚さを厚くすること、絶縁テープ５が螺旋状に巻かれること、導電性の接着剤を用いることについては、第一実施形態と同様の効果を奏する。
【００４０】
これらにより、シールドテープ３による絶縁電線（信号線）２に対するシールド効果が安定し、差動モードの入力信号に対するコモンモードの出力量（Ｓｃｄ２１）を小さくすることができる。
【実施例】
【００４１】
実施例及び比較例の二芯平行ケーブルにおけるモード変換量（Ｓｃｄ２１）の測定結果について説明する。
なお、Ｓｃｄ２１は、ポート１からポート２における差動モードからコモンモードへの変換量のことであり、ミックスモードＳパラメータの１つである。ＵＳＢケーブル（例えばＵＳＢ３．０）のコンプライアンス・テストでは−２０ｄＢ／ｍ以下と設定されている。
以下の測定では、長さ３ｍの二芯平行ケーブルに２０ＧＨｚ以上の高周波信号を伝送した場合において、Ｓｃｄ２１値の最大値が−２０ｄＢ／ｍ以下のものを良好、−２５ｄＢ／ｍ以下のものを優秀と判定した。また、Ｓｃｄ２１値の最大値が−２０ｄＢ／ｍより大きいものを不良と判定した。
【００４２】
（実施例１）
実施例１の二芯平行ケーブルの構成は、図１，図２に示した構成であり、下記のようにして作成した。
ＡＷＧ３０の信号導体２１を有する直径０．９６ｍｍ絶縁電線２を二本平行に並べたものを使用した。銅の金属層３ａ（厚さ８μｍ）が設けられた厚さ２１μｍのシールドテープ３を、金属層３ａが内側に配置されるようにして、絶縁電線２の周囲に縦添え巻きした。シールドテープ３の内側の面（金属層３ａの表面）には、接着面の面積が金属層３ａの表面積の３０％となるように絶縁性の接着剤３１ａ（厚さ２μｍ）をゼブラ状に塗布した。また、シールドテープ３の外側の面には絶縁性の接着剤３１ｂ（厚さ２μｍ）を全面的（１００％）に塗布した。ドレイン線４を絶縁電線２に縦添えしてシールドテープ３の内側に配置した。シールドテープ３の外側に厚さ１５μｍの絶縁テープ５を螺旋状に巻いた。絶縁テープ５の内側の面には絶縁性の接着剤（厚さ２μｍ）を全面的（１００％）に塗布した。
上記構成の実施例１の二芯平行ケーブルを長さ３ｍとして、２０ＧＨｚ以上の高周波信号を伝送し、Ｓｃｄ２１を測定した。
その結果、Ｓｃｄ２１値の最大値が−２５ｄＢ／ｍ以下であり、実施例１の二芯平行ケーブルの品質は優秀と判定された。接着剤３１ａが塗布されることにより絶縁電線２とシールドテープ３とが固定され、接着剤３１ｂおよび絶縁テープ５の接着剤によりシールドテープ３と絶縁テープ５とが固定された。
【００４３】
（実施例２）
実施例２の二芯平行ケーブルの構成は、図３，図４に示した構成であり、下記のようにして作成した。
絶縁電線２は、実施例１と同様の構成とした。銅の金属層３ａが設けられたシールドテープ３を、金属層３ａが外側に配置されるようにして、絶縁電線２の周囲に縦添え巻きした。シールドテープ３の内側の面には絶縁性の接着剤３１ａを全面的（１００％）に塗布した。また、シールドテープ３の外側の面（金属層３ａの表面）には、接着面の面積が金属層３ａの全表面積の３０％となるように絶縁性の接着剤３１ｂをゼブラ状に塗布した。ドレイン線４を絶縁電線２に縦添えしてシールドテープ３の外側に配置した。絶縁テープ５は、実施例１と同様の構成とした。なお、各部の厚さ、直径は、実施例１と同じである。
上記構成の実施例２の二芯平行ケーブルを長さ３ｍとして、２０ＧＨｚ以上の高周波信号を伝送し、Ｓｃｄ２１を測定した。
その結果、Ｓｃｄ２１値の最大値が−２５ｄＢ／ｍ以下であり、実施例２の二芯平行ケーブルの品質は優秀と判定された。接着剤３１ａが塗布されることにより絶縁電線２とシールドテープ３とが固定され、接着剤３１ｂおよび絶縁テープ５の接着剤によりシールドテープ３と絶縁テープ５とが固定された。
【００４４】
（実施例３）
実施例３の二芯平行ケーブルの構成は、上記実施例２と同様のシールドテープ３において、シールドテープ３の外側の面に接着剤３１ｂが塗布されない構成とした。その他は、実施例２と同様の構成とした。
上記構成の実施例３の二芯平行ケーブルを長さ３ｍとして、２０ＧＨｚ以上の高周波信号を伝送し、Ｓｃｄ２１を測定した。
その結果、Ｓｃｄ２１値の最大値が−２５ｄＢ／ｍ以下であり、実施例３の二芯平行ケーブルの品質は優秀と判定された。接着剤３１ａが塗布されることにより絶縁電線２とシールドテープ３とが固定され、絶縁テープ５の接着剤によりシールドテープ３と絶縁テープ５とが固定された。
【００４５】
（実施例４）
実施例４の二芯平行ケーブルの構成は、上記実施例１と同様のシールドテープ３において、シールドテープ３の内側の面に接着剤３１ａが塗布されない構成とした。その他は、実施例１と同様の構成とした。
上記構成の実施例４の二芯平行ケーブルを長さ３ｍとして、２０ＧＨｚ以上の高周波信号を伝送し、Ｓｃｄ２１を測定した。
その結果、Ｓｃｄ２１値の最大値が−２０ｄＢ／ｍ以下であり、実施例４の二芯平行ケーブルの品質は良好と判定された。接着剤３１ｂおよび絶縁テープ５の接着剤によりシールドテープ３と絶縁テープ５とが固定された。
【００４６】
（実施例５）
実施例５の二芯平行ケーブルの構成は、上記実施例４と同様の構成において、絶縁テープ５の厚さを厚く形成した（厚さ２５μｍに形成）。
上記構成の実施例５の二芯平行ケーブルを長さ３ｍとして、２０ＧＨｚ以上の高周波信号を伝送し、Ｓｃｄ２１を測定した。
その結果、Ｓｃｄ２１値の最大値が−２５ｄＢ／ｍ以下であり、実施例５の二芯平行ケーブルの品質は優秀と判定された。厚い絶縁テープ５により、シールドテープ３が強く固定された。
【００４７】
（比較例１）
上記実施例１と同様の構成において、接着剤が全く塗布されない構成とした。すなわち、比較例１では、シールドテープ３の内側の面、外側の面、絶縁テープ５の内側の面に、接着剤が全く塗布されていない。
上記構成の比較例１の二芯平行ケーブルを長さ３ｍとして、２０ＧＨｚ以上の高周波信号を伝送し、Ｓｃｄ２１を測定した。
その結果、Ｓｃｄ２１値の最大値が−２０ｄＢ／ｍより大きく、比較例１の二芯平行ケーブルの品質は不良と判定された。
【００４８】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【符号の説明】
【００４９】
１Ａ，１Ｂ  二芯平行ケーブル
２  絶縁電線
３  シールドテープ
３ａ  金属層
４  ドレイン線
５  絶縁テープ
２１  信号導体
２２  絶縁体
３１ａ，３１ｂ  接着剤
【図１】
2018060685.tif 000003
【図２】
2018060685.tif 000004
【図３】
2018060685.tif 000005
【図４】
2018060685.tif 000006